(57)【特許請求の範囲】
【請求項１】
箱体内に、熱交換器と、クロスフローファンと、前記クロスフローファンの回転軸方向に延設され、前記クロスフローファンによって送風された空気を吸い込む吸込部を前記クロスフローファンとの対向部の先端部に形成したリアガイダと、前記リアガイダと対向し前記吸込部への吸込流を前記箱体外に導く通風路を形成しているスタビライザと、前記リアガイダの両端の横に前記回転軸に対して垂直方向に配設された側壁とを備えた空気調和機の室内ユニットであって、前記吸込部には、前記吸込部と前記クロスフローファンとの間の距離が最短となる突端部が前記リアガイダの長手方向に形成され、前記リアガイダの前記側壁の近傍には、前記突端部から延出した延出部が形成され、前記延出部と前記クロスフローファンとの間の最短距離は、前記突端部と前記クロスフローファンとの間の距離より長いことを特徴とする空気調和機の室内ユニット。
【請求項２】
前記熱交換器は、前記箱体内の前方及び後方に配置され、前記延出部は、後方の熱交換器と対向し、前記後方の熱交換器の傾斜に沿って延出している請求項１に記載の空気調和機の室内ユニット。
【請求項３】
前記側壁近傍の前記スタビライザと前記リアガイダとの間の距離を、前記回転軸方向の中央部の前記スタビライザと前記リアガイダとの間の距離より短くすることにより、前記通風路の幅を狭めた部分を有する請求項１または２に記載の空気調和機の室内ユニット。
【請求項４】
前記通風路の幅を狭めた部分は、前記通風路の空気の流れ方向に沿って延設されている請求項３に記載の空気調和機の室内ユニット。
【請求項５】
前記通風路の幅を狭めた部分における前記通風路の幅は、前記回転軸方向の中央部における前記通風路の幅の約１／２以上である請求項４に記載の空気調和機の室内ユニット。
【請求項６】
前記クロスフローファンは、一定長を有する複数のブレードを円柱状に配列した複数の一連の羽根車を回転軸方向に組み合わせて形成され、前記延出部の前記回転軸方向の長さは、前記羽根車の一連分の長さとほぼ同じである請求項１から５のいずれかに記載の空気調和機の室内ユニット。
【発明の詳細な説明】
【０００１】
【発明の属する技術分野】
本発明は、クロスフローファンと称する横断流送風機を具備した空気調和機の室内ユニットに関するものである。
【０００２】
【従来の技術】
図６に、従来例に係る空気調和機の室内ユニットの斜視図を示している。図７は、図６のI−I線における断面図である。図７に示しているのは、横断流送風機を具備した空気調和機の断面の一例である。吸込口１と吹出口２との間には通風路３が形成されている。通風路３内には、エアフィルタ６が配置されている。エアフィルタ６は、前面カバー４の内側面から台枠５の天井部までを覆い、着脱自在である。
【０００３】
また、通風路３内の前方及び後方には熱交換器７が配置され、これら熱交換器７間にはクロスフローファン８が配置されている。クロスフローファン８は、一定長の複数のブレードを円柱状に配列した複数の一連の羽根車を回転軸方向に組み合わせて形成されている。クロスフローファン８の背面にはリアガイダ９が、クロスフローファン８の下方にはスタビライザ１０がそれぞれ配置されている。
【０００４】
スタビライザ１０とリアガイダ９は、熱交換器７から落下する除湿水を受けるドレンパンであるとともに、通風路３の一部を構成する壁でもある。熱交換器７を通過し熱交換された空気は、クロスフローファン８によって吹出口２に送風される。室内への風向きは、風向羽根１１によって調節できる。
【０００５】
最近の省エネ化の動向から、空気調和機も高性能化が求められており、さらに高性能化された送風機が必要となっている。空気調和機の室内ユニットの高性能化とは、通風路の流量特性を向上させ、かつ低騒音化させることであり、高風量かつ低騒音な送風機の開発が望まれている。
【０００６】
このようなことから、熱交換器７を大きくし、かつ吸込口１を広げたり、スタビライザ１０とリアガイダ９との間の最短距離αを広げたりすることで送風機の高性能化が図られている。
【０００７】
【発明が解決しようとする課題】
しかしながら前記のような従来の高性能化の手段では、送風機を高性能化できるものの低静圧型の送風機となる。このため、実使用の際にエアフィルタ６にチリ、埃等が多量に付着した場合、すなわち高負荷時には吹出風量が安定せず風量特性の低下を招くという問題があった。さらに「バサバサ」という断続的な異音（以下「バサツキ音」という。）を引き起こし、騒音を増大するという問題もあった。
【０００８】
また、横断流送風機を具備した空調機の特性として、クロスフローファンの中央部では２次元流れが形成されているが、両端の側壁近傍では側壁の抵抗の影響で２次元流れがくずれて3次元流れとなる。このため、送風機に負荷が加わった場合に吹き出し流れは不安定になり、特に側壁近傍ではその傾向が著しく３次元非定常流れとなる。このことが、バサツキ音が両端の側壁近傍から発生する原因と考えられている。
【０００９】
本発明は、前記のような従来の問題を解決するものであり、側壁近傍のリアガイダ両端の吸い込み部先端形状や通風路の形状改善により、側壁近傍での空気の流れを高静圧化させ、通風抵抗を最小限に抑えながら吹出風量の安定化が図れる空気調和機の室内ユニットを提供することを目的とする。
【００１０】
【課題を解決するための手段】
前記目的を達成するために本発明の第１番目の空気調和機の室内ユニットは、箱体内に、熱交換器と、クロスフローファンと、前記クロスフローファンの回転軸方向に延設され、前記クロスフローファンによって送風された空気を吸い込む吸込部を前記クロスフローファンとの対向部の先端部に形成したリアガイダと、前記リアガイダと対向し前記吸込部への吸込流を前記箱体外に導く通風路を形成しているスタビライザと、前記リアガイダの両端の横に前記回転軸に対して垂直方向に配設された側壁とを備えた空気調和機の室内ユニットであって、前記吸込部には、前記吸込部と前記クロスフローファンとの間の距離が最短となる突端部が前記リアガイダの長手方向に形成され、前記リアガイダの前記側壁の近傍には、前記突端部から延出した延出部が形成され、前記延出部と前記クロスフローファンとの間の最短距離は、前記突端部と前記クロスフローファンとの間の距離より長いことを特徴とする。
【００１１】
前記のような空気調和機の室内ユニットによれば、側壁近傍にクロスフローファンとの距離を広くした延出部が形成されているので、側壁近傍では吸込部への空気の流入を促進させることができ、側壁近傍での空気の流れを高静圧化させることができる。すなわち、通風抵抗を最小限に抑えながら吹き出し風量の安定化を図ることができる。
【００１２】
前記第１番目の空気調和機の室内ユニットにおいては、前記熱交換器は、前記箱体内の前方及び後方に配置され、前記延出部は、後方の熱交換器と対向し、前記後方の熱交換器の傾斜に沿って延出していることが好ましい。前記のような空気調和機の室内ユニットによれば、側壁近傍での吸込流の流れが円滑になり、側壁近傍におけるバサツキ音の発生を防止できる。
【００１３】
また、前記側壁近傍の前記スタビライザと前記リアガイダとの間の距離を、前記回転軸方向の中央部の前記スタビライザと前記リアガイダとの間の距離より短くすることにより、前記通風路の幅を狭めた部分を有することが好ましい。前記のような空気調和機の室内ユニットによれば、通風路における吹出流が高静圧化するので、吹き出し風量の安定化を得ることができる。
【００１４】
また、前記通風路の幅を狭めた部分は、前記通風路の空気の流れ方向に沿って延設されていることが好ましい。
【００１５】
また、前記通風路の幅を狭めた部分における前記通風路の幅は、前記回転軸方向の中央部における前記通風路の幅の約１／２以上であることが好ましい。前記のような空気調和機の室内ユニットによれば、通風路における通風抵抗を最小限に抑えながら吹き出し風量の安定化を得ることができる。
【００１６】
また、前記クロスフローファンは、一定長を有する複数のブレードを円柱状に配列した複数の一連の羽根車を回転軸方向に組み合わせて形成され、前記延出部の前記回転軸方向の長さは、前記羽根車の一連分の長さとほぼ同じであることが好ましい。
【００１７】
次に、本発明の第２番目の空気調和機の室内ユニットは、箱体内に、熱交換器と、クロスフローファンと、前記クロスフローファンの回転軸方向に延設され、前記クロスフローファンによって送風された空気を吸い込む吸込部を前記クロスフローファンとの対向部の先端部に形成したリアガイダと、前記リアガイダと対向し前記吸込部への吸込流を前記箱体外に導く通風路を形成しているスタビライザと、前記リアガイダの両端の横に前記回転軸に対して垂直方向に配設された側壁とを備えた空気調和機の室内ユニットであって、前記側壁近傍の前記スタビライザと前記リアガイダとの間の距離を、前記回転軸方向の中央部の前記スタビライザと前記リアガイダとの間の距離より短くすることにより、前記通風路の幅を狭めた部分を有することを特徴とする。前記のような空気調和機の室内ユニットによれば、側壁近傍の通風路における吹出流が高静圧化するので、吹き出し風量の安定化を得ることができる。
【００１８】
前記第２番目の空気調和機の室内ユニットにおいては、前記通風路の幅を狭めた部分は、前記通風路の空気の流れ方向に沿って延設されていることが好ましい。
【００１９】
また、前記通風路の幅を狭めた部分における前記通風路の幅は、前記回転軸方向の中央部における前記通風路の幅の約１／２以上であることが好ましい。前記のような空気調和機の室内ユニットによれば、通風路における通風抵抗を最小限に抑えながら吹き出し風量の安定化を得ることができる。
【００２０】
また、前記クロスフローファンは、一定長を有する複数のブレードを円柱状に配列した複数の一連の羽根車を回転軸方向に組み合わせて形成され、前記通風路の幅を狭めた部分の前記回転軸方向の長さは、前記羽根車の一連分の長さとほぼ同じであることが好ましい。
【００２１】
次に、本発明の第３番目の空気調和機の室内ユニットは、箱体内に、熱交換器と、クロスフローファンと、前記クロスフローファンの回転軸方向に延設され、前記クロスフローファンによって送風された空気を吸い込む吸込部を前記クロスフローファンとの対向部の先端部に形成したリアガイダと、前記リアガイダと対向し前記吸込部への吸込流を前記箱体外に導く通風路を形成しているスタビライザと、前記リアガイダの両端の横に前記回転軸に対して垂直方向に配設された側壁とを備えた空気調和機の室内ユニットであって、前記クロスフローファンの下流域に、前記側壁の内側に形成され前記側壁の内側面に対して2段階以上の段差を有する突起によって、前記クロスフローファンの回転軸方向に前記通風路の幅を狭めた部分を有することを特徴とする。前記のような空気調和機の室内ユニットによれば、側壁近傍の通風路における吹出流は、クロスフローファンの回転軸方向の乱れが軽減されるので、吹出し風流の安定化を図ることができる。
【００２２】
前記第３番目の空気調和機の室内ユニットにおいては、前記側壁の内側面に対して１段目の段差を形成する前記突起の上面は、前記クロスフローファンの外周円を拡大した同心円の円弧を弧線とする曲面形状を含むように形成されていることが好ましい。前記のような空気調和機の室内ユニットによれば、側壁近傍においては、吹出し流は風速がほぼ均一な状態で、回転軸方向に向きを変えることになり、、回転軸方向の乱れをより一層軽減させることができる。
【００２３】
【発明の実施の形態】
以下、本発明の一実施形態について図面を参照しながら説明する。
【００２４】
（実施の形態１）
本実施形態では、空気調和機の外観斜視図は図６と同様であるので、図６を実施形態１に係る空気調和機の外観斜視図として用いる。図１（ａ）は、図６のI−I線における断面図である。図１（ｂ）は、図１（ａ）に示したリアガイダ９の延出部１４付近の拡大図で、図１（ｃ）は、延出部１４付近のB方向からの要部矢視図である。
【００２５】
クロスフローファン８は、一定長の複数のブレード８ｂを仕切り円板８ｃ間に備えることによって円柱状に配列した複数の一連の羽根車８ａを回転軸方向に組み合わせて形成されている。クロスフローファン８の回転軸方向に延設されたリアガイダ９には、その先端部にクロスフローファン８と対向する吸込部１３が形成されている。吸込部１３には、熱交換器７を通過した空気が流入する。クロスフローファン８の回転軸方向におけるリアガイダ９及びクロスフローファン８の両端の横には、側壁９ａが形成されている。図１（ａ）に示した断面図は、側壁近傍の断面図である（以下の図２〜５も同じ）。
【００２６】
図１（ｂ）に示したように、吸込部１３には曲面形状の突端部１３ａが形成されている。突端部１３ａからは、延出部１４が延出している。この延出部１４は、外周面１４ａを突端部１３ａの曲面形状と略同一の形状とすることにより筒形状の一部となるように形成されている。延出部１４におけるクロスフローファン８との間の最短距離γは、突端部１３ａの先端とクロスフローファン８との間の距離βより大きい（γ＞β）。すなわち、距離βが吸込部１３及び延出部１４における最短距離である。
【００２７】
また、図１（ｃ）に示したように、延出部１４は、クロスフローファン８の回転軸方向の両端近傍、すなわち側壁９ａ近傍に形成されている。図１（ｃ）において、線１５はクロスフローファン８の正面から見て右側の端部を示し、側壁９ａの一部はクロスフローファン８の端部を収納した円筒凹部９ｂを具備している。図１（ｃ）の延出部１４のＢ矢視図（斜線部）の左横の水平線が、図１（ｂ）の吸込部１３のＢ矢視図である。
【００２８】
本実施形態では、延出部１４の長手方向の長さを示している寸法１６は、クロスフローファン８を形成する羽根車の一連８ａ分の長さとほぼ同じである。図１（ｃ）は、クロスフローファン８の正面から見て右側の端部を示しているが、左側の端部においても、同様である。
【００２９】
本実施形態によれば、側壁９ａ近傍にクロスフローファン８との距離を広くした延出部１４が形成されているので、側壁９ａ近傍では吸込部１３への空気の流入を促進させることができ、側壁９ａ近傍での空気の流れを高静圧化させることができる。すなわち、通風抵抗を最小限に抑えながら吹き出し風量の安定化を図ることができる。
【００３０】
（実施の形態２）
本実施形態では、空気調和機の外観斜視図は図６と同様であるので、図６を実施形態２に係る空気調和機の外観斜視図として用いる。図２（ａ）は、図６のI−I線における断面図である。図２（ｂ）は、延出部１８付近のB方向からの要部矢視図である。
【００３１】
クロスフローファン８の回転軸方向に延設されたリアガイダ９には、その先端部にクロスフローファン８と対向する吸込部１７が形成されている。吸込部１７には、熱交換器７を通過した空気が流入する。突端部１７ａでは、吸込部１７とクロスフローファン８との間の距離が最短となる。この突端部１７ａからは、延出部１８が延出している。延出部１８とクロスフローファン８との間の距離は、前記の実施形態１と同様に、突端部１７ａとクロスフローファン８との間の距離より大きくしている。
【００３２】
延出部１８は、背面側の熱交換器７ａと対向しており、熱交換器７ａの傾斜に沿って延出している。また、図２（ｂ）に示したように、延出部１８は、クロスフローファン８の回転軸方向の両端近傍に形成され、その軸方向の寸法１６は、クロスフローファン８の羽根車の一連８ａの長さとほぼ同じに設定されている。
【００３３】
図２（ｂ）において、線１５はクロスフローファン８の正面から見て右側の端部を示し、側壁９ａの一部はクロスフローファン８の端部を収納した円筒凹部９ｂを具備している。図２（ｂ）の延出部１８のＢ矢視図（斜線部）の左横の水平線が、吸込部１７のＢ矢視図である。図２（ｂ）は、クロスフローファン８の正面から見て右側の端部を示しているが、左側の端部においても、同様である
本実施形態によれば、リアガイダ９の側壁９ａ近傍には、クロスフローファン８との距離を広くし、かつ熱交換器７ａの傾斜に沿って延出している延出部１８が形成されているので、リアガイダ９の側壁９ａ近傍における吸込流の流れが円滑になる。このため、側壁９ａ近傍におけるバサツキ音の発生を防止できる。
【００３４】
（実施の形態３）
本実施形態では、空気調和機の外観斜視図は図６と同様であるので、図６を実施形態３に係る空気調和機の外観斜視図として用いる。図３（ａ）は、図６のI−I線における断面図である。図３（ｂ）は、吹出口２付近のC方向からの要部矢視図である。
【００３５】
リアガイダ９とスタビライザ１０とは対向し、この対向部に形成された空間で、通風路３を形成し、通風路３の先端部分が吹出口２である。本実施形態では、スタビライザ１０の長手方向の両端部には、突起１９が形成されている。このため、突起１９が形成されている部分における吹出口２の最短距離α２は、中央部における通風路３の最短距離α１より短くなっている。
【００３６】
図３（ｂ）に、スタビライザ１０の長手方向における突起１９の形成位置を示している。図３（ｂ）の斜線で示している部分が、突起１９のＣ矢視図である。突起１９の長手方向の長さ寸法１６は、クロスフローファン８を形成する羽根車の一連８ａ分の長さとほぼ同じであることが好ましい。図３（ｂ）は、クロスフローファン８の正面から見て右側の端部を示しているが、左側の端部においても、同様である。
【００３７】
本実施形態では、突起１９を形成し吹出口２の最短距離α２を中央部における最短距離α１より短くすることにより、側壁９ａ部の吹出流が高静圧化するため、通風抵抗を最小限に抑えながら吹き出し風量の安定化を得ることができる。
【００３８】
（実施の形態４）
本実施形態では、空気調和機の外観斜視図は図６と同様であるので、図６を実施形態４に係る空気調和機の外観斜視図として用いる。図４（ａ）は、図６のI−I線における断面図である。図４（ｂ）は、吹出口２付近のC方向からの要部矢視図である。
【００３９】
本実施形態では、吹出口２の長手方向の両端部には、突起２０が形成されている。突起２０は、通風路３の空気の流れ方向に沿って形成されている。突起２０が形成されている部分における通風路３の幅は、クロスフローファン８の回転軸方向の中央部における通風路３の幅の約１／２以上が好ましい。本実施形態では、通風路３の最短距離α３は、α４の約１／２である。
【００４０】
図４（ｂ）に、リアガイダ９の長手方向における突起２０の形成位置を示している。図４（ｂ）の斜線で示している部分が、突起２０のＣ矢視図である。突起２０の長手方向の長さ寸法１６ａは、クロスフローファン８を形成する羽根車の一連８ａ分の長さの１／５〜１／６程度の長さであることが好ましい。図４（ｂ）は、クロスフローファン８の正面から見て右側の端部を示しているが、左側の端部においても、同様である。
【００４１】
本実施形態では、吹出口２の側壁９ａ近傍に、突起２０をさらに設けることにより、リアガイダ９に沿って吹き出されてくる剥離された空気の流れを円滑にすることができ静音化が可能になる。また、上半分からの流れは確保されているので、通風抵抗を最小限に抑えることができる。
【００４２】
（実施の形態５）
本実施形態では、空気調和機の外観斜視図は図６と同様であるので、図６を実施形態４に係る空気調和機の外観斜視図として用いる。図５（ａ）は、図６のI−I線における断面図である。図５（ｂ）は、吹出口２付近のC方向からの要部矢視図である。図５（ｃ）は、図５（ａ）のII−II線における断面図である。
【００４３】
クロスフローファン８の下流域の側壁９ａには、通風路３の全幅に亘り突起２１が形成されている。突起２１は、図５（ｃ）に示したように、側壁９ａの内側面に対して１段目の段差２１ａと、２段目の段差２１ｂとを有している。１６ｂ、１６ｃはそれぞれ、段差２１ａ、２１ｂのクロスフローファン８の回転軸方向の長さを示している。
【００４４】
突起２１は、このような2段階段差を有しているので、クロスフローファン８の回転軸方向における通風路３の幅が、2段階に狭められていることになる。このことにより、クロスフローファン８によって送風された空気流の回転軸方向の変動成分が軽減されるので、吹出流の流れを円滑にすることができ、静音化が可能になる。
【００４５】
本実施形態では、図５（ａ）に示したように、１段目の段差２１ａを形成する突起２１の上面は、クロスフローファン８の外周円を拡大した同心円の円弧を弧線とする曲面形状を含むように形成されている。このことにより、側壁９ａの近傍においては、吹出流は風速がほぼ均一な状態で、回転軸方向に向きを変えることになる。すなわち、回転軸方向の乱流（変動）成分をより一層軽減させることができ、吹出流の流れをより円滑にすることができるので、静音化が可能になる。
【００４６】
なお、本実施形態では突起が2段階段差の例を示したが、2段階以上の段差であれば、同様の効果が得られる。
【００４７】
【発明の効果】
以上のように、本発明の空気調和機の室内ユニットによれば、リアガイダに、突端部から延出した延出部を、リアガイダ横の側壁の近傍に形成することにより、側壁近傍では吸込部への空気の流入を促進させることができ、側壁近傍での空気の流れを高静圧化させることができる。すなわち、通風抵抗を最小限に抑えながら吹き出し風量の安定化を図ることができる。
【００４８】
また、スタビライザとリアガイダとが対向して形成された通風路の幅を狭めた部分を側壁近傍に有することにより、側壁近傍の通風路における吹出流が高静圧化するので、吹き出し風量の安定化を得ることができる。
【図面の簡単な説明】
【図１】（ａ）本発明の実施形態１に係る空気調和機の室内ユニットの断面図
（ｂ）図１（ａ）のリアガイダ先端付近の拡大図
（ｃ）図１（ａ）のB方向からの矢視図
【図２】（ａ）本発明の実施形態２に係る空気調和機の室内ユニットの断面図
（ｂ）図２（ａ）のB方向からの矢視図
【図３】（ａ）本発明の実施形態３に係る空気調和機の室内ユニットの断面図
（ｂ）図３（ａ）のＣ方向からの矢視図
【図４】（ａ）本発明の実施形態４に係る空気調和機の室内ユニットの断面図
（ｂ）図４（ａ）のＣ方向からの矢視図
【図５】（ａ）本発明の実施形態５に係る空気調和機の室内ユニットの断面図
（ｂ）図５（ａ）のＣ方向からの矢視図
（ｃ）図５（ａ）のII−II線における断面図
【図６】従来例に係る空気調和機の室内ユニット外観斜視図
【図７】図６のI−I線における断面図
【符号の説明】
１  吸込口
２  吹出口
３  通風路
４  前面カバー
５  本体台枠
６  エアフィルタ
７，７ａ  熱交換器
８  クロスフローファン
８ａ  羽根車の一連
８ｂ  ブレード
９  リアガイダ
９ａ  側壁
９ｂ  円筒凹部
１０  スタビライザ
１１  風向羽根
１２，１３，１７  吸込部
１３ａ，１７ａ  突端部
１４，１８  延出部
１５  リアガイダの端部
１６  延出部の幅方向の長さ
１９，２０，２１  突起
２１ａ  １段目の段差
２１ｂ  ２段目の段差
【図１】
0003695740.tif 000002
【図２】
0003695740.tif 000003
【図３】
0003695740.tif 000004
【図４】
0003695740.tif 000005
【図５】
0003695740.tif 000006
【図６】
0003695740.tif 000007
【図７】
0003695740.tif 000008